(57)【要約】（ａ）酸素含有ガス状相中にフィッシャー・トロプシュ誘導液体炭化水素の液滴混合物を得る工程、（ｂ）該炭化水素液滴混合物を蒸発させて、酸素及び炭化水素を含むガス状混合物を得る工程、及び（ｃ）工程（ｂ）で得られたガス状混合物を全て燃焼させる工程を含むフィッシャー・トロプシュ誘導液体燃料の燃焼方法。【特許請求の範囲】
【請求項１】
（ａ）酸素含有ガス状相中にフィッシャー・トロプシュ誘導液体炭化水素燃料の液滴混合物を得る工程、
（ｂ）該炭化水素液滴混合物を蒸発させて、酸素及び炭化水素を含むガス状混合物を得る工程、及び
（ｃ）工程（ｂ）で得られたガス状混合物を全て燃焼させる工程、
を含むフィッシャー・トロプシュ誘導液体燃料の燃焼方法。
【請求項２】
工程（ａ）が、前記フィッシャー・トロプシュ誘導液体燃料をスプレーノズルにより霧化し、次いで該霧化燃料を空気と混合することにより行われる請求項１に記載の方法。
【請求項３】
工程（ｂ）が、温度３００〜４８０℃の冷炎中で行われる請求項１又は２に記載の方法。
【請求項４】
工程（ｃ）が、多孔質材料中で行われる請求項１〜３のいずれか１項に記載の方法。
【請求項５】
燃焼熱が、水蒸気の生成に使用され、次いで該水蒸気は、実質的に過熱され、該過熱水蒸気は、ピストンエンジン又は膨張エンジンの動力に使用される請求項４に記載の方法。
【請求項６】
工程（ｃ）が、多孔質表面で行われる請求項１〜３のいずれか１項に記載の方法。
【請求項７】
前記多孔質表面のふく射熱が、空間の加熱に使用される請求項６に記載の方法。
【請求項８】
前記火炎が空気力学的に安定化するように、工程（ｃ）が行われる請求項１〜３のいずれか１項に記載の方法。
【請求項９】
前記燃料が、イソ−及びノーマルパラフィンを８０重量％より多く含有するフィッシャー・トロプシュ生成物を含む請求項１〜８のいずれか１項に記載の方法。
【請求項１０】
前記燃料が、フィッシャー・トロプシュ生成物を８０重量％より多く含有する請求項９に記載の方法。
【請求項１１】
前記燃料が金属系燃焼改良剤を含有せず、かつ工程（ｃ）にイオン化センサー型の火炎検出器が存在する請求項１〜１０のいずれか１項に記載の方法。
【発明の詳細な説明】
【技術分野】
【０００１】
本発明は、
（ａ）酸素含有ガス状相中にフィッシャー・トロプシュ誘導液体炭化水素燃料の液滴混合物を得る工程、
（ｂ）該炭化水素液滴混合物を、好ましくは３００〜４８０℃の温度範囲の冷炎中で、蒸発させて、酸素及び炭化水素を含むガス状混合物を得る工程、及び
（ｃ）工程（ｂ）で得られたガス状混合物を全て燃焼させる工程、
を含むフィッシャー・トロプシュ誘導液体燃料の燃焼方法に向けたものである。
【背景技術】
【０００２】
このような方法は、Ｍｏｄｕｌａｔｉｏｎ  Ｂｕｒｎｅｒ  ｆｏｒ  Ｌｉｑｕｉｄ  Ｆｕｅｌｓ  Ｂａｓｅｄ  ｏｎ  Ｐｏｒｏｕｓ  Ｍｅｄｉａ  Ｃｏｍｂｕｓｔｉｏｎ  ａｎｄ  Ｃｏｏｌ  Ｆｌａｍｅ  Ｖａｐｏｒｉｚａｔｉｏｎ；Ｄ．Ｔｒｉｍｉｓ，Ｋ．Ｗａｗｒｚｉｎｅｋ，Ｏ．Ｈａｒｚｆｅｌｄ，Ｋ．Ｌｕｃｋａ，Ａ．Ｒｕｔｓｃｈｅ，Ｆ．Ｈａａｓｅ，Ｋ．Ｋｒuｇｅｒ，Ｃ．Ｋuｃｈｅｎ，Ｓｉｘｔｈ  Ｉｎｔｅｒｎａｔｉｏｎａｌ  Ｃｏｎｆｅｒｅｎｃｅ  ｏｎ  Ｔｅｃｈｎｏｌｏｇｉｅｓ  ａｎｄ  Ｃｏｍｕｓｉｏｎ  ｆｏｒ  ａ  Ｃｌｅａｎ  Ｅｎｖｉｒｏｎｍｅｎｔ（Ｃｌｅａｎ  Ａｉｒ  ＶＩ），Ｖｏｌ．２，Ｐａｐｅｒ  ２３．１，Ｐｏｒｔｏ，ポルトガル，２００１年７月９〜１２日に詳細に記載されている。この論文には、いわゆる多孔質バーナーが記載されている。多孔質バーナーは、空気と液体燃料とを混合する手段、液体燃料を冷炎中で蒸発させる空間、及び空気／蒸発燃料混合物を燃焼させる多孔質材料充填空間を備えたものである。この論文は、可能な液体燃料として、工業用ガス油を挙げている。例えば水浴中には、排気ガスの脱硫手段も存在する。この種のバーナーは、通常、２〜３０ｋＷの低出力用には、非常に好適である。このような低出力バーナーは、家庭での加熱又はボイラー用として非常に好適である。更に、この種のバーナーは、出力調節（ｍｏｄｕｌａｔｉｏｎ）比を１：１０よりも高くできるという利点もある。出力調節比を高くすると、その都度、炭化水素及び一酸化炭素の一時的な多量放出を伴う始動／停止動作（ｅｖｅｎｔｓ）を減少できる。
【０００３】
工業用ガス油を使用する欠点は、バーナーの蒸発器空間で燃料が容易には蒸発しないことである。液体燃料の蒸発が不完全であると、バーナーから出る煙道ガス中に放出物が多くなることである。また不完全な蒸発により、燃焼帯域や下流の熱交換器表面に沈着物が生じる恐れがある。その結果、熱交換器の効率低下、不完全て燃焼、又は制御不能の火炎発火が生じる恐れがある。
【特許文献１】ＵＳ−Ａ−ＵＳ４２６４８３７
【特許文献２】ＥＰ−Ａ−９４７７６９
【特許文献３】ＵＳ−Ａ−５５２２７２３
【特許文献４】ＥＰ−Ａ−５８３８３６
【特許文献５】ＷＯ−Ａ−９７１４７６８
【特許文献６】ＷＯ−Ａ−９７１４７６９
【特許文献７】ＷＯ−Ａ−０１１１１６
【特許文献８】ＷＯ−Ａ−０１１１１７
【特許文献９】ＷＯ−Ａ−０１８３４０６
【特許文献１０】ＷＯ−Ａ−０１８３６４８
【特許文献１１】ＷＯ−Ａ−０１８３６４７
【特許文献１２】ＷＯ−Ａ−０１８３６４１
【特許文献１３】ＷＯ−Ａ−００２０５３５
【特許文献１４】ＷＯ−Ａ−００２０５３４
【特許文献１５】ＥＰ−Ａ−１１０１８１３
【特許文献１６】ＵＳ−Ａ−５７６６２７４
【特許文献１７】ＵＳ−Ａ−５３７８３４８
【特許文献１８】ＵＳ−Ａ−５８８８３７６
【特許文献１９】ＵＳ−Ａ−６２０４４２６
【特許文献２０】ＵＳ−Ａ−５１３９４１５
【特許文献２１】ＥＰ−Ａ−０９４９４５２
【特許文献２２】ＥＰ−Ａ−００３７０４６
【特許文献２３】ＵＳ−Ａ−２００２１９４８４８
【特許文献２４】ＷＯ−Ａ−０３０３６０７２
【非特許文献１】Ｍｏｄｕｌａｔｉｏｎ  Ｂｕｒｎｅｒ  ｆｏｒ  Ｌｉｑｕｉｄ  Ｆｕｅｌｓ  Ｂａｓｅｄ  ｏｎ  Ｐｏｒｏｕｓ  Ｍｅｄｉａ  Ｃｏｍｂｕｓｔｉｏｎ  ａｎｄ  Ｃｏｏｌ  Ｆｌａｍｅ  Ｖａｐｏｒｉｚａｔｉｏｎ；Ｄ．Ｔｒｉｍｉｓ，Ｋ．Ｗａｗｒｚｉｎｅｋ，Ｏ．Ｈａｒｚｆｅｌｄ，Ｋ．Ｌｕｃｋａ，Ａ．Ｒｕｔｓｃｈｅ，Ｆ．Ｈａａｓｅ，Ｋ．Ｋｒuｇｅｒ，Ｃ．Ｋuｃｈｅｎ，Ｓｉｘｔｈ  Ｉｎｔｅｒｎａｔｉｏｎａｌ  Ｃｏｎｆｅｒｅｎｃｅ  ｏｎ  Ｔｅｃｈｎｏｌｏｇｉｅｓ  ａｎｄ  Ｃｏｍｕｓｉｏｎ  ｆｏｒ  ａ  Ｃｌｅａｎ  Ｅｎｖｉｒｏｎｍｅｎｔ（Ｃｌｅａｎ  Ａｉｒ  ＶＩ），Ｖｏｌ．２，Ｐａｐｅｒ  ２３．１，Ｐｏｒｔｏ，ポルトガル，２００１年７月９〜１２日
【発明の開示】
【発明が解決しようとする課題】
【０００４】
したがって本発明の目的は、このような欠点のない方法を提供することである。
【課題を解決するための手段】
【０００５】
この目的は、
（ａ）酸素含有ガス状相中にフィッシャー・トロプシュ誘導液体炭化水素燃料の液滴混合物を得る工程、
（ｂ）該炭化水素液滴混合物を蒸発させて、酸素及び炭化水素を含むガス状混合物を得る工程、及び
（ｃ）工程（ｂ）で得られたガス状混合物を全て燃焼させる工程、
を含むフィッシャー・トロプシュ誘導液体燃料の燃焼方法により達成される。
【発明の効果】
【０００６】
出願人は、フィッシャー・トロプシュ誘導燃料を用いることにより、冷炎中で一層良好な蒸発が起こることを見い出した。その結果、一層良好に燃焼し、炎発火が向上すると共に、下流の熱交換器表面での汚染が少なくなる。更に、フィッシャー・トロプシュ誘導燃料は、殆ど硫黄を含有しないので、前記燃焼の煙道ガスを浄化したり、或いは特殊の非腐蝕性材料を塗布するため、特別な方法を採る必要がない。
【発明を実施するための最良の形態】
【０００７】
工程（ａ）では、フィッシャー・トロプシュ誘導液体燃料の液滴混合物がガス状連続相中で製造される。このガス状相は、酸素又は他のいずれかの酸化剤を含有する。ガス状相は、好ましくは空気である。前記混合物の製造は、他の方法で行ってもよい。例えば空気と液体燃料との混合物を特定の差圧で小開口に通して、ガス状相に小液滴を生成させることにより、混合物が得られる。第二の方法は、例えばＵＳ−Ａ−ＵＳ４２６４８３７に記載されるように、液体燃料を超音波振動により霧化させる方法である。好ましい方法は、まず液体燃料をスプレーノズルで霧化させ、次いで、例えば前記論文に記載されるように、空気と混合することである。
【０００８】
液滴の大きさは、選択した方法で測定される。ノズルの場合、ノズルの寸法、燃料の供給速度、燃料油の圧力、燃料の粘度（したがって、燃料の温度も）及び表面張力が、液滴の大きさに影響する。所定の供給ノズルについて、燃料供給速度が高く、及び／又は燃料油の圧力が高いと、液滴が一層小さく、したがって液体燃料の蒸発が一層良くなる。液滴の大きさは、できるだけ小さいことが好ましい。しかし、このような小液滴を得るのに必要な高圧は、経済的にも或いは技術的にも容易ではない。出願人は、フィッシャー・トロプシュ誘導燃料を用いると、燃焼に悪影響を与えることなく、大きな液滴が許容できることを見い出した。現在、燃料油は、低圧で利用できるので、大きな液滴が利用できることは、燃焼方法が技術的に一層簡単になり、かつエネルギー効率が一層向上する点で非常に有利である。
【０００９】
酸素含有ガスは、通常、空気である。しかし、精製酸素のような他の酸素含有ガス供給源も使用できる。この説明の残り部分では、空気に言及したが、これにより、代替供給源を排除するものではない。本発明方法における過剰空気比は、１．１〜３の範囲である（過剰空気比とは、実際の空気供給量と、燃料の化学量論的燃焼に必要な空気量との比（ラムダ＝１）として定義する）。液体燃料は、液滴の微細スプレーとして空気中に導入することが好ましい。
【００１０】
工程（ｂ）は、好ましくはいわゆる冷炎により行われる。時にはコールド炎ともいわれる冷炎は、３００℃の温度で始まり、事実上、空気比に関係なく、４８０℃の温度及び１バールの条件で安定化する。冷炎は、特定の最低温度（３００℃）の時に形成される。この温度が４８０℃未満に維持されていれば、これらの条件下では、必要とする活性化エネルギーが高すぎるため、自己発火は起こらない。この温度は、好適には、熱排気ガス又は燃焼帯域に対する間接熱交換により維持される。冷炎中では、液滴は蒸発し、これにより工程（ｃ）で使用されるガス状混合物を形成する。本発明方法の工程（ｂ）及び（ｃ）は、物理的に分離される。工程（ｃ）からの熱燃焼ガスが、冷炎が存在する領域に入るのを避ける方法を採ることが好ましい。このような方法の例は、例えば流れ加速度による（ｔｈｒｏｕｇｈ  ｆｌｏｗ  ａｃｃｅｌｅｒａｔｉｏｎ）火炎トラップ又は工程（ａ）と工程（ｂ）間の物理的界面に配置した金属グリッドである。冷炎の例は、前記論文や、ＥＰ−Ａ−９４７７６９に記載されている。
【００１１】
或いは、工程（ａ）及び（ｂ）は、まず燃料を蒸発させ、次いでこのガス状燃料を酸素含有混合物と混合するか、又はガス状燃料を不活性媒体中に蒸発させた後、酸素含有ガスと混合することにより、行ってもよい。
工程（ｃ）の燃焼は、種々の方法で行ってよい。例えば火炎の空気力学的安定化を利用してよい。更に好ましくは、火炎は、多孔質表面によって配置し、混合物をこの表面の一端に供給すると共に、火炎を表面の丁度、下流に存在させる。このような表面バーナーは、ＥＰ−Ａ−９４７７６９に記載されている。
【００１２】
工程（ｃ）の他の好ましい実施態様は、例えば前記論文に記載されるように、燃焼を多孔質材料中で行うものである。多孔質材料は、前記論文又はＵＳ−Ａ−５５２２７２３に記載されるものでよい。燃焼方法は、この多孔質構造内で行ってもよいことが見い出された。細孔が小さすぎると、火炎を急冷し、また大きすぎると、延焼を起こす。多孔質材料は、好ましくは延焼を抑える第一帯域、いわゆる予備加熱帯域と、延焼可能な第二帯域である実際の燃焼帯域とからなる。多孔質材料は、例えばアルミナ、酸化ジルコニウム又は炭化珪素から作製できる。
【００１３】
工程（ｃ）では、火炎検出器を用いることが好ましい。好適な検出器は、紫外線センサー及び赤外線センサーである。更に好ましい検出器は、いわゆるイオン化センサーである。イオン化センサーは、連続操作は勿論、断続操作によるバーナーを監視するのに好適である。イオン化火炎監視器は、火炎の整流効果によるものである。火炎が存在すれば、バーナーとイオン化電極間に電流が流れる。このイオン化電流は、火炎監視器で評価され、火炎が存在するかどうかを決定する。幾つかの従来技術の用途では、イオン化センサーは、液体燃料と組合せて使用できなかった。これは、センサー中の沈着物が、センサーに間違い電流を誘引するからである。フィッシャー・トロプシュ誘導燃料、特に金属系燃焼改良剤を含有しない燃料組成物を使用すると、沈着物が少なくなるので、イオン化センサーを利用できる。金属系燃焼改良剤の例は、フェロセン系添加物及びメチルシクロペンタジエニルマンガン−トリカルボニル（ＭＭＴ）である。イオン化センサーは、赤外線又は紫外線センサーよりも更に容易に入手できるという利点がある。
【００１４】
フィッシャー・トロプシュ誘導燃料は、フィッシャー・トロプシュ生成物を含有する。フィッシャー・トロプシュ生成物は、（水素化処理した）フィッシャー・トロプシュ合成生成物から単離可能な中間蒸留物燃料範囲のいずれのフラクションであってもよい。通常のフラクションは、ナフサ、ケロシン又はガス油の沸点範囲の沸点を有する。ケロシン又はガス油の沸点範囲の沸点を有するフィッシャー・トロプシュ生成物は、例えば家庭環境内で取扱い易いので、このようなフィッシャー・トロプシュ生成物を使用することが好ましい。このようなフィッシャー・トロプシュ生成物は、好適には、１６０〜４００℃、好ましくは約３７０℃以下、の沸点範囲のものが９０重量％より多いフラクションを含有する。フィッシャー・トロプシュ誘導ケロシン及びガス油の例は、ＥＰ−Ａ−５８３８３６、ＷＯ−Ａ−９７１４７６８、ＷＯ−Ａ−９７１４７６９、ＷＯ−Ａ−０１１１１６、ＷＯ−Ａ−０１１１１７、ＷＯ−Ａ−０１８３４０６、ＷＯ−Ａ−０１８３６４８、ＷＯ−Ａ−０１８３６４７、ＷＯ−Ａ−０１８３６４１、ＷＯ−Ａ−００２０５３５、ＷＯ−Ａ−００２０５３４、ＥＰ−Ａ−１１０１８１３、ＵＳ−Ａ−５７６６２７４、ＵＳ−Ａ−５３７８３４８、ＵＳ−Ａ−５８８８３７６及びＵＳ−Ａ−６２０４４２６に記載されている。
【００１５】
フィッシャー・トロプシュ生成物は、イソ−及びノーマルパラフィンを好適には８０重量％より多く、更に好適には９５重量％より多く、また芳香族を１重量％未満含有する。残部は、ナフテン系化合物である。硫黄及び窒素の含有量は、非常に少なく、普通、これら化合物についての検出限界未満である。これら元素の含有量が少ないのは、フィッシャー・トロプシュ反応を行う特定の方法によるからである。したがって、硫黄含有量は、５ｐｐｍ未満、窒素含有量は、１ｐｐｍ未満である。芳香族系及びナフテン系化合物の含有量が少ないことから、フィッシャー・トロプシュと生成物の密度は、従来の鉱物誘導燃料よりも低く、０．６５〜０．８ｇ／ｃｍ３の範囲である。
【００１６】
本発明方法で使用される燃料は、フィッシャー・トロプシュ生成物以外の燃料フラクションを含有してもよい。このようなフラクションの例は、原油原料を有用な生成物の品質に向上する通常の製油方法で得られるケロシン又はガス油フラクションであってよい。好ましい非フィッシャー・トロプシュ燃料成分は、現在、市販されている、硫黄含有量が極めて少ない（例えば硫黄５０ｐｐｍ未満）ケロシン又はディーゼルフラクションである。燃料組成物には、任意にバイオ燃料のような非鉱油系燃料も存在してよい。燃料中のフィッシャー・トロプシュ生成物の含有量は、好ましくは４０重量％より多く、更に好ましくは６０重量％より多く、最も好ましくは８０重量％より多い。このような現在、入手し難いフィッシャー・トロプシュ生成物の含有量は最適化され、燃料全体の価格が本発明の利点と均衡することを理解すべきである。数種の添加物を任意に加えたフィッシャー・トロプシュ生成物を主成分とする燃料は、幾つかの用途に有利に使用できる。
【００１７】
燃料は、以下の添加物の１種以上を含有してよい。洗剤、例えばＯｃｔｅｌ  ＯＹから得られるＯＭＡ  ３５０；安定剤、例えばＢＡＳＦ社から得られるＫｅｒｏｐｏｎ  ＥＳ  ３５００、Ｏｃｔｅｌ  ＯＹから得られるＦＯＡ  ５２８Ａ；金属失活剤、例えばＩＲＧＡＭＥＴ  ３０（Ｓｐｅｃｉａｌｔｙ  Ｃｈｅｍｉｃａｌｓ  Ｉｎｃ．から得られる）；分散剤（灰分を含有しない）、例えばＯｃｔｅｌ  ＯＹから得られるＦＯＡ  ５２８Ａ包装品に含まれるような分散剤；酸化防止剤として、Ｓｐｅｃｉａｌｔｙ  Ｃｈｅｍｉｃａｌｓ  Ｉｎｃ．から得られるＩＲＧＡＮＯＸ  Ｌ０６又はＩＲＧＡＮＯＸ  Ｌ５７；常温流れ改良剤、例えばＢＡＳＦ社から得られるＫｅｒｏｆｌｕｘ  ３２８３、Ｉｎｆｉｎｅｕｍ  ＵＫ  Ｌｔｄ．から得られるＲ４３３又はＲ４７４；腐蝕防止剤として、Ｒｈｅｉｎ  Ｃｈｅｍｉｅ  ＧｍｂＨから得られるＡｄｄｉｔｉｎ  ＲＣ  ４８０１、ＢＡＳＦから得られるＫｅｒｏｃｏｒｒ  ３２３２、Ｃｉｂａから得られるＳＡＲＫＯＳＹＬ  ０；付香剤、例えばＨａａｒｍａｎｎ  ＆  Ｒｅｉｍｅｒから得られるＣｏｍｐｅｎｓｏｌ；殺生剤（ｂｉｏｃｉｏｄｅ）、例えばＳｈｕｅｌｋｅ  ＆  Ｍａｙｒから得られるＧＲＯＴＡ  ＭＡＲ  ７１；潤滑強化剤、例えばＯｃｔｅｌから得られるＯＬＩ  ９０００；霞み防止剤、例えばＰｔｒｏｌｉｔｅから得られるＴ−９３１８；帯電防止剤、例えばＯｃｔｅｌから得られるＳｔａｄｉｓ  ４５０；及び泡低下剤、例えばＧｏｌｄｓｃｈｍｉｄｔから得られるＴＥＧＯ  ２０７９。フィッシャー・トロプシュと誘導燃料は、例えばフェロセン又はＭＭＴのような燃焼改良剤を必ずしも含有する必要のないことが見い出された。
【００１８】
フィッシャー・トロプシュ生成物は、無色、無臭である。フィッシャー・トロプシュ誘導燃料には、安全性の理由から、例えば家庭消費用天然ガスに利用されるような付臭剤が存在してもよい。このフィッシャー・トロプシュ誘導燃料と他の非フィッシャー・トロプシュ誘導燃料とを識別するため、着色剤も存在してよい。
添加物の合計含有量は、好適には０〜１重量％の範囲、好ましくは０．５重量％未満であってよい。
フィッシャー・トロプシュ燃料を用いる燃焼方法は、家庭での加熱に利用することが好ましく、この場合、燃焼熱は、いわゆるボイラー中で間接熱交換により水を加熱するのに使用される。この方法は、出力調節範囲が２〜３０ｋＷであるため、家庭用として特に好適である。加熱した水は、家の暖房に使用したり、或いは例えばシャワー等に消費できる。
【００１９】
このようなフィッシャー・トロプシュ燃料を用いる燃焼方法は、大空間の直接加熱に使用すると更に有利であるかも知れない。このような用途は、煙道ガスを大空間に直接供給して、この空間を昇温することを特徴とする。テントやホールのような空間は、このような装置で昇温させることが多い。この用途には、随伴する煙道ガスが大空間に安全に供給できることから、例えば天然ガス、ＬＰＧ等の通常ガス状の燃料が使用される。しかし、ガス状燃料を使用する欠点は、加圧ガス容器及び燃焼器具等の装置を安全に操作するには、これら装置の取扱いにプロの熟練を必要とすることである。フィッシャー・トロプシュ誘導燃料を用いることにより、この燃焼方法では、ガス状燃料を用いた場合と同等の煙道ガスが得られる。こうして、空間の直接加熱に液体燃料を利用できる方法が提供される。フィッシャー・トロプシュ誘導液体燃料を使用すると、直接加熱用装置を更に非常に簡単かつ安全に利用できる。
【００２０】
空間の直接加熱は、いわゆるふく射ヒーターで行うことが好ましい。工程（ｃ）は、このような装置の穿孔板の表面又は内部で行うことが好ましい。穿孔板は、好ましくはセラミック板である。穿孔板では、燃焼は、板を横断する短い溝中で起こる。燃焼熱により、ふく射エネルギーを発生して、周囲の空気を昇温する赤熱発光板が得られる。通常、このようなふく射ヒーター用の燃料は、ガス状燃料である。これは、周囲の空気中に煙道ガスが放出されるからである。出願人は、フィッシャー・トロプシュ燃料が、液体燃料としての欠点を生じることなく、有利に利用できることを見い出した。普通はガス状燃料で操作するが、現在、液体燃料で操作できるふく射ヒーターの例は、ＵＳ−Ａ−５１３９４１５、ＥＰ−Ａ−０９４９４５２又はＥＰ−Ａ−００３７０４６に記載されている。
【００２１】
フィッシャー・トロプシュ燃料を用いる燃焼方法は、家庭での加熱に利用することが好ましく、この場合、燃焼熱は、いわゆるボイラー中で間接熱交換により水を加熱するのに使用される。この方法は、出力調節範囲が２〜３０ｋＷであるため、家庭用として特に好適である。加熱した水は、家の暖房に使用したり、或いは例えばシャワー等に消費できる。
【００２２】
このようなフィッシャー・トロプシュ燃料を用いる燃焼方法は、大空間の直接加熱に使用すると更に有利であるかも知れない。このような用途は、煙道ガスを大空間に直接供給して、この空間を昇温することを特徴とする。この用途には、工程（ｃ）は、多孔質表面を用いて行うことが好ましい。このようなヒーターの表面で発展したふく射熱は、ヒーターを配置した環境を加熱する。
【００２３】
この方法は、水蒸気の発生方法にも有利に利用できる。特に工程（ｃ）を例えばＵＳ−Ａ−５５２２７２３に記載されるような多孔質材料中で行う場合、特に有利である。このような方法で発生した燃焼熱は、水蒸気の発生に使用でき、発生した水蒸気は、加熱のような種々の目的に使用してよい。好ましい用途は、ＵＳ−Ａ−２００２１９４８４８及びＷＯ−Ａ−０３０３６０７２に記載され、発生した水蒸気は、まず過熱し、次いでピストンエンジン又は膨張エンジンに供給している。この用途は、時にはＥｎｇｉｎｉｏｎ  ＡＧのＳｔｅａｍＣｅｌｌ（商標）ともいわれている。このエンジンは、例えば自動車の動力となる機械的動力、又は電気を提供できる。この種のエンジンに要求される利点は、従来の燃焼エンジンの状態に比べてＮｏｘ放出量が少ないことである。フィッシャー・トロプシュ誘導燃料を用いることにより、このような用途ではＮｏｘ放出量が更に減少するかも知れない。フィッシャー・トロプシュ誘導燃料は、事実上、硫黄を含有しないという利点もある。これにより、バーナーの設計を更に簡素化し、またこの種のエンジンの複雑性を低減することができる。
【国際調査報告】
2005533158.tif 000002
2005533158.tif 000003
2005533158.tif 000004